(57)【要約】【課題】吸収性物品包装体を立てて保管するようにユーザーを誘導する吸収性物品包装体、及び、吸収性物品のパッケージの提供を目的とする。【解決手段】吸収性物品（１）と包装材（１０）とを有する吸収性物品包装体（２０）であって、吸収性物品包装体（２０）の外部から視認可能で、上下方向を備える動物図柄（３１）を有し、包装材（１０）が、吸収性物品（１）を内包しつつ、所定方向に沿う折り部（２１）にて折り畳まれた状態において、折り部（２１）に動物図柄（３１）の少なくとも一部が位置し、かつ、所定方向が動物図柄（３１）の上下方向に揃っていること。【選択図】図３
2018104101.tif 000002
【特許請求の範囲】
【請求項１】
生理用ナプキン、パンティライナー、又は吸収パッドである吸収性物品と、
前記吸収性物品を包装する包装材と、
を有する吸収性物品包装体であって、
前記吸収性物品包装体は、当該吸収性物品包装体の外部から視認可能であって、上下方向を備える動物図柄を有し、
前記包装材が、前記吸収性物品を内包しつつ、所定方向に沿う折り部にて折り畳まれた状態において、前記折り部に前記動物図柄の少なくとも一部が位置し、かつ、前記所定方向が前記動物図柄の前記上下方向に揃っていることを特徴とする吸収性物品包装体。
【請求項２】
請求項１に記載の吸収性物品包装体であって、
折り畳まれた状態における前記吸収性物品包装体の厚みは、前記吸収性物品包装体を開封して展開した状態における前記動物図柄の幅方向の長さの１／２以上であることを特徴とする吸収性物品包装体。
【請求項３】
請求項２に記載の吸収性物品包装体であって、
折り畳まれた状態における前記吸収性物品包装体の厚みは、前記吸収性物品包装体を開封して展開した状態における前記動物図柄の幅方向の長さ以上であることを特徴とする吸収性物品包装体。
【請求項４】
請求項１から３の何れか１項に記載の吸収性物品包装体であって、
前記吸収性物品包装体は、前記吸収性物品包装体を開封して展開した状態において、前記動物図柄が配置されている配置領域と、前記動物図柄が配置されていない非配置領域とを、前記動物図柄の幅方向に交互に有し、
折り畳まれた状態における前記吸収性物品包装体の厚みは、前記吸収性物品包装体を開封して展開した状態における前記非配置領域の幅よりも大きいことを特徴とする吸収性物品包装体。
【請求項５】
請求項１から３の何れか１項に記載の吸収性物品包装体であって、
前記吸収性物品包装体を開封して展開した状態において、
前記吸収性物品包装体が有する複数の動物図柄は、前記動物図柄の幅方向及び上下方向に並んで配置されており、かつ、
前記上下方向に隣り合う前記動物図柄は、前記幅方向にずれて配置されるとともに、前記幅方向に重なり部分を有することを特徴とする吸収性物品包装体。
【請求項６】
請求項４に記載の吸収性物品包装体を複数内包する吸収性物品のパッケージであって、
前記吸収性物品包装体の前記折り部は、第１折り部と、前記第１折り部の反対側の第２折り部とを有し、
前記第１折り部では、前記配置領域の方が前記非配置領域よりも大きく、
前記第２折り部では、前記非配置領域の方が前記配置領域よりも大きく、
複数の前記吸収性物品包装体がその厚み方向に並んだ状態で内包されており、
複数の前記吸収性物品包装体それぞれの前記第１折り部が同じ側に位置していることを特徴とする吸収性物品のパッケージ。
【請求項７】
請求項６に記載の吸収性物品のパッケージであって、
前記吸収性物品包装体の開封端はテープによって止着されており、
前記テープは、前記第１折り部よりも前記第２折り部の近くに配置されていることを特徴とする吸収性物品のパッケージ。
【請求項８】
請求項１から５の何れか１項に記載の吸収性物品包装体を複数内包する吸収性物品のパッケージであって、
複数の前記吸収性物品包装体がその厚み方向に並んだ状態で内包されており、
前記吸収性物品包装体が前記パッケージに内包されている状態において、前記折り部に位置する前記動物図柄の上下方向が、前記パッケージの上下方向に揃っていることを特徴とする吸収性物品のパッケージ。
【請求項９】
請求項８に記載の吸収性物品のパッケージであって、
前記パッケージは、当該パッケージの外部から前記吸収性物品包装体の前記折り部の少なくとも一部を視認可能な窓部を有し、
前記窓部から視認される前記折り部の前記動物図柄の上下方向が、前記パッケージの上下方向に揃っていることを特徴とする吸収性物品のパッケージ。
【請求項１０】
請求項９に記載の吸収性物品のパッケージであって、
前記パッケージの上下方向における前記窓部の最大長さは、前記吸収性物品包装体を開封して展開した状態における前記動物図柄の上下方向の長さ以上であることを特徴とする吸収性物品のパッケージ。
【請求項１１】
請求項１０に記載の吸収性物品のパッケージであって、
前記吸収性物品包装体の前記動物図柄は、前記動物図柄の上下方向に間隔を空けて配置されるとともに、前記動物図柄の幅方向に重複して配置された第１動物図柄及び第２動物図柄を有し、
前記第１動物図柄は、前記第２動物図柄よりも上側に配置されており、
前記パッケージの上下方向における前記窓部の最大長さは、前記吸収性物品包装体を開封して展開した状態において前記動物図柄の上下方向における前記第１動物図柄の上端から前記第２動物図柄の上端までの長さ以上であることを特徴とする吸収性物品のパッケージ。
【請求項１２】
請求項９から１１の何れか１項に記載の吸収性物品のパッケージであって、
前記厚み方向に隣り合う前記吸収性物品包装体それぞれの前記折り部に位置する前記動物図柄の少なくとも一部は、前記パッケージの前記窓部から視認可能であって、前記動物図柄の上下方向にずれて配置されていることを特徴とする吸収性物品のパッケージ。
【請求項１３】
請求項８から１２の何れか１項に記載の吸収性物品のパッケージであって、
前記パッケージは、当該パッケージの外部から視認可能であって、前記吸収性物品包装体の前記動物図柄と同じ種類であり、かつ、同一系統の色を備える動物図柄を有し、
前記パッケージの前記動物図柄の上下方向が、前記パッケージの上下方向に揃っていることを特徴とする吸収性物品のパッケージ。
【発明の詳細な説明】
【技術分野】
【０００１】
本発明は、吸収性物品包装体、及び、吸収性物品のパッケージに関する。
【背景技術】
【０００２】
吸収性物品包装体として、特許文献１には、生理用ナプキン本体が包装シートの上面に重ねて接着された状態で、包装シートをナプキン本体と一緒に３つに折り畳んだ包装生理用ナプキンが開示されている。特許文献１の包装生理用ナプキンでは、バックシートに絵柄が設けられている。
【先行技術文献】
【特許文献】
【０００３】
【特許文献１】特開２００５−１８５８５８号公報
【発明の概要】
【発明が解決しようとする課題】
【０００４】
生理用ナプキン、パンティライナー、又は吸収パッドである吸収性物品の包装体は、一般に、パッケージに複数個ずつ内包された状態で流通する。一方、家庭では、吸収性物品包装体はパッケージから取り出された状態で保管されることが多い。ただし、吸収性物品は、昼用、夜用等の用途に応じて使い分けられたり、母と娘で使用する製品が異なっていたりと、複数種類の吸収性物品包装体が混在した状態で保管される。そのため、特許文献１のナプキンのように絵柄が設けられていることで、複数種類の製品から所望の製品を選択できる。
しかし、特許文献１のナプキンに設けられた絵柄は、吸収体が吸収した経血のシミをカムフラージュすることを目的としている。そのため、例示されている絵柄は、比較的大柄の葉や蔓性草花であったり、細かい格子模様であったり、星形等の比較的小さい絵柄が多数散りばめられたものであった。これらの絵柄は方向性を有さない。そのため、吸収性物品包装体が平らに置かれた状態で上に積み重ねられて（平積みされて）保管されてしまうことがある。そうすると、下の方から所望の製品を取り出しにくく、また、下の方の製品が長期間使用されず、上に重ねられた製品の重みにより吸収性物品の厚みが低下し、着け心地や吸収性能が低下するおそれがあった。
【０００５】
そこで、本発明は、吸収性物品包装体を立てて保管するようにユーザーを誘導する吸収性物品包装体、及び、吸収性物品のパッケージの提供を目的とする。
【課題を解決するための手段】
【０００６】
上記目的を達成するための主たる発明は、生理用ナプキン、パンティライナー、又は吸収パッドである吸収性物品と、前記吸収性物品を包装する包装材と、を有する吸収性物品包装体であって、前記吸収性物品包装体は、当該吸収性物品包装体の外部から視認可能であって、上下方向を備える動物図柄を有し、前記包装材が、前記吸収性物品を内包しつつ、所定方向に沿う折り部にて折り畳まれた状態において、前記折り部に前記動物図柄の少なくとも一部が位置し、かつ、前記所定方向が前記動物図柄の前記上下方向に揃っていることを特徴とする吸収性物品包装体である。
本発明の他の特徴については、本明細書及び添付図面の記載により明らかにする。
【発明の効果】
【０００７】
本発明によれば、吸収性物品包装体を立てて保管するようにユーザーを誘導する吸収性物品包装体、及び、吸収性物品のパッケージの提供できる。
【図面の簡単な説明】
【０００８】
【図１】生理用ナプキン１を肌側から見た平面図である。
【図２】包装材１０の外側面１０２を説明する平面図である。
【図３】図３Ａは吸収性物品包装体２０の平面図であり、図３Ｂは吸収性物品包装体２０の折り部２１の説明図である。
【図４】吸収性物品包装体２０を開封して展開し、ナプキン１の肌側から見た状態の図である。
【図５】図５Ａ及び図５Ｂは吸収性物品包装体の折り畳み方法の説明図である。
【図６】家庭での個包装体２０の保管方法の一例を示す図である。
【図７】個包装体２０のパッケージ４０の概略斜視図である。
【図８】図８Ａ及び図８Ｂはパッケージ４０内での個包装体２０の状態を説明する図である。
【図９】パッケージ４０の正面４０Ａを示す図である。
【図１０】図１０Ａ及び図１０Ｂはパッケージ４０の変形例の説明図である。
【図１１】図１１Ａから図１１Ｄは個包装体２０の変形例の説明図である。
【図１２】包装材１０の動物図柄３１の変形例の説明図である。
【発明を実施するための形態】
【０００９】
本明細書及び添付図面の記載により、少なくとも以下の事項が明らかとなる。
生理用ナプキン、パンティライナー、又は吸収パッドである吸収性物品と、前記吸収性物品を包装する包装材と、を有する吸収性物品包装体であって、前記吸収性物品包装体は、当該吸収性物品包装体の外部から視認可能であって、上下方向を備える動物図柄を有し、前記包装材が、前記吸収性物品を内包しつつ、所定方向に沿う折り部にて折り畳まれた状態において、前記折り部に前記動物図柄の少なくとも一部が位置し、かつ、前記所定方向が前記動物図柄の前記上下方向に揃っていること。
【００１０】
このような吸収性物品包装体によれば、保管時に、吸収性物品包装体を平らに配置して重ねてしまうと、折り部の動物図柄が寝てしまうので、ユーザーが吸収性物品包装体を立てて保管するように誘導できる。
【００１１】
かかる吸収性物品包装体であって、折り畳まれた状態における前記吸収性物品包装体の厚みは、前記吸収性物品包装体を開封して展開した状態における前記動物図柄の幅方向の長さの１／２以上であること。
【００１２】
このような吸収性物品包装体によれば、折り部に、幅方向に欠けていない又は幅方向に欠けた部位の小さい動物図柄が位置しやすく、折り部の動物図柄及びその上下方向がユーザーに認識されやすい。よって、ユーザーが吸収性物品包装体を立てて保管するように誘導できる。
【００１３】
かかる吸収性物品包装体であって、折り畳まれた状態における前記吸収性物品包装体の厚みは、前記吸収性物品包装体を開封して展開した状態における前記動物図柄の幅方向の長さ以上であること。
【００１４】
このような吸収性物品包装体によれば、折り部に、幅方向に欠けていない又は幅方向に欠けた部位の小さい動物図柄が位置しやすく、折り部の動物図柄及びその上下方向がユーザーに認識されやすい。よって、ユーザーが吸収性物品包装体を立てて保管するように誘導できる。
【００１５】
かかる吸収性物品包装体であって、前記吸収性物品包装体は、前記吸収性物品包装体を開封して展開した状態において、前記動物図柄が配置されている配置領域と、前記動物図柄が配置されていない非配置領域とを、前記動物図柄の幅方向に交互に有し、折り畳まれた状態における前記吸収性物品包装体の厚みは、前記吸収性物品包装体を開封して展開した状態における前記非配置領域の幅よりも大きいことを特徴とする吸収性物品包装体。
【００１６】
このような吸収性物品包装体によれば、折り部に、動物図柄の少なくとも一部が位置するため、折り部の動物図柄及びその上下方向がユーザーに認識されやすい。よって、ユーザーが吸収性物品包装体を立てて保管するように誘導できる。
【００１７】
かかる吸収性物品包装体であって、前記吸収性物品包装体を開封して展開した状態において、前記吸収性物品包装体が有する複数の動物図柄は、前記動物図柄の幅方向及び上下方向に並んで配置されており、かつ、前記上下方向に隣り合う前記動物図柄は、前記幅方向にずれて配置されるとともに、前記幅方向に重なり部分を有することを特徴とする吸収性物品包装体。
【００１８】
このような吸収性物品包装体によれば、折り部に、動物図柄の少なくとも一部が位置するため、折り部の動物図柄及びその上下方向がユーザーに認識されやすい。よって、ユーザーが吸収性物品包装体を立てて保管するように誘導できる。
【００１９】
かかる吸収性物品包装体を複数内包する吸収性物品のパッケージであって、前記吸収性物品包装体の前記折り部は、第１折り部と、前記第１折り部の反対側の第２折り部とを有し、前記第１折り部では、前記配置領域の方が前記非配置領域よりも大きく、前記第２折り部では、前記非配置領域の方が前記配置領域よりも大きく、複数の前記吸収性物品包装体がその厚み方向に並んだ状態で内包されており、複数の前記吸収性物品包装体それぞれの前記第１折り部が同じ側に位置していることを特徴とする吸収性物品のパッケージ。
【００２０】
このような吸収性物品包装体によれば、ユーザーは、例えばパッケージから複数の吸収性物品包装体を取り出した際に、厚み方向に並んだ複数の吸収性物品包装体の束において、動物図柄がより多く配置されている面（第１折り部側の面）と、動物図柄があまり配置されていない面（第２折り部側の面）とを見ることになる。そのため、ユーザーは、無意識のうちに、動物図柄を基準にして、個包装体を立てて保管しやすくなる。
【００２１】
かかる吸収性物品のパッケージであって、前記吸収性物品包装体の開封端はテープによって止着されており、前記テープは、前記第１折り部よりも前記第２折り部の近くに配置されていることを特徴とする吸収性物品のパッケージ。
【００２２】
このような吸収性物品のパッケージによれば、ユーザーが保管場所から吸収性物品包装体を取り出した際に、吸収性物品包装体におけるテープの位置が一定になりやすく、スムーズに開封できる。
【００２３】
かかる吸収性物品包装体を複数内包する吸収性物品のパッケージであって、複数の前記吸収性物品包装体がその厚み方向に並んだ状態で内包されており、前記吸収性物品包装体が前記パッケージに内包されている状態において、前記折り部に位置する前記動物図柄の上下方向が、前記パッケージの上下方向に揃っていることを特徴とする吸収性物品のパッケージ。
【００２４】
このような吸収性物品のパッケージによれば、例えばパッケージの開封時に、折り部の動物図柄の上下方向がパッケージの上下方向に揃っている状態を見たユーザーの潜在意識には、折り部の動物図柄及びその上下方向が刷り込まれる。よって、ユーザーは、折り部の動物図柄を基準にして、吸収性物品包装体を立てて保管しやすくなる。
【００２５】
かかる吸収性物品のパッケージであって、前記パッケージは、当該パッケージの外部から前記吸収性物品包装体の前記折り部の少なくとも一部を視認可能な窓部を有し、前記窓部から視認される前記折り部の前記動物図柄の上下方向が、前記パッケージの上下方向に揃っていることを特徴とする吸収性物品のパッケージである。
【００２６】
このような吸収性物品のパッケージによれば、窓部から吸収性物品包装体を見たユーザーは、パッケージ内での吸収性物品包装体の状態と同じに、吸収性物品包装体を立てて保管しやすくなる。
【００２７】
かかる吸収性物品のパッケージであって、前記パッケージの上下方向における前記窓部の最大長さは、前記吸収性物品包装体を開封して展開した状態における前記動物図柄の上下方向の長さ以上であることを特徴とする吸収性物品のパッケージ。
【００２８】
このような吸収性物品のパッケージによれば、上下方向に欠けていない又は欠けた部位の小さい折り部の動物図柄が窓部から視認されやすく、ユーザーの潜在意識には、折り部の動物図柄が立っている状態が刷り込まれる。よって、パッケージ内での吸収性物品包装体の状態と同じに、吸収性物品包装体を立てて保管しやすくなる。
【００２９】
かかる吸収性物品のパッケージであって、前記吸収性物品包装体の前記動物図柄は、前記動物図柄の上下方向に間隔を空けて配置されるとともに、前記動物図柄の幅方向に重複して配置された第１動物図柄及び第２動物図柄を有し、前記第１動物図柄は、前記第２動物図柄よりも上側に配置されており、前記パッケージの上下方向における前記窓部の最大長さは、前記吸収性物品包装体を開封して展開した状態において前記動物図柄の上下方向における前記第１動物図柄の上端から前記第２動物図柄の上端までの長さ以上であることを特徴とする吸収性物品のパッケージ。
【００３０】
このような吸収性物品のパッケージによれば、窓部に対向する吸収性物品包装体の折り部の部位に動物図柄が位置しやすく、窓部から折り部の動物図柄を視認したユーザーの潜在意識には、折り部の動物図柄が立っている状態が刷り込まれる。よって、パッケージ内での吸収性物品包装体の状態と同じに、吸収性物品包装体を立てて保管しやすくなる。
【００３１】
かかる吸収性物品のパッケージであって、前記厚み方向に隣り合う前記吸収性物品包装体それぞれの前記折り部に位置する前記動物図柄の少なくとも一部は、前記パッケージの前記窓部から視認可能であって、前記動物図柄の上下方向にずれて配置されていることを特徴とする吸収性物品のパッケージ。
【００３２】
このような吸収性物品のパッケージによれば、折り部の動物図柄がユーザーに認識されやすく、窓部から折り部の動物図柄を視認したユーザーの潜在意識には、折り部の動物図柄が立っている状態が刷り込まれる。よって、パッケージ内での吸収性物品包装体の状態と同じに、吸収性物品包装体を立てて保管しやすくなる。
【００３３】
かかる吸収性物品のパッケージであって、前記パッケージは、当該パッケージの外部から視認可能であって、前記吸収性物品包装体の前記動物図柄と同じ種類であり、かつ、同一系統の色を備える動物図柄を有し、前記パッケージの前記動物図柄の上下方向が、前記パッケージの上下方向に揃っていることを特徴とする吸収性物品のパッケージ。
【００３４】
このような吸収性物品包装体によれば、パッケージの動物図柄の上下方向がパッケージの上下方向に揃っている状態を見たユーザーの潜在意識には、パッケージの動物図柄及びその上下方向が刷り込まれる。よって、ユーザーは、パッケージの動物図柄に類似した吸収性物品包装体の動物図柄を基準にして、吸収性物品包装体を立てて保管しやすくなる。
【００３５】
＝＝＝実施形態＝＝＝
本発明に係る吸収性物品包装体は、生理用ナプキン、パンティライナー（おりものシート）、又は吸収パッドである吸収性物品と、吸収性物品を包装する包装材とを有する。以下の実施形態では、吸収性物品を生理用ナプキンとして説明する。
【００３６】
＜＜生理用ナプキン１の基本構成＞＞
図１は、生理用ナプキン１（以下「ナプキン」ともいう）を肌側から見た平面図である。ナプキン１は、互いに直交する前後方向（長手方向）と短手方向と厚さ方向を有する。前後方向において着用者の腹側となる側が前側であり、着用者の背側となる側が後側である。厚さ方向において着用者に当接する側が肌側であり、その反対側が非肌側である。
【００３７】
ナプキン１は、排泄液を吸収する吸収体２と、吸収体２よりも肌側に配置された液透過性のトップシート３と、吸収体２よりも非肌側に配置された液不透過性のバックシート４を有する。吸収体２としては、パルプ繊維等の液体吸収性繊維に高吸収性ポリマー（所謂ＳＡＰ）を含有させたものを所定の形状に成形したものを例示できる。
【００３８】
また、ナプキン１は、前後方向の略中央部（詳しくは着用者の排泄口に当接する排泄口当接部）において、短手方向の外側に延出した一対のウィング部５を有する。図１に示すように、前後方向においてウィング部５が位置するナプキン１の領域を中央領域１Ｂとし、中央領域１Ｂよりも前側のナプキン１の領域を前方領域１Ａとし、中央領域１Ｂよりも後側のナプキン１の領域を後方領域１Ｃとする。
【００３９】
また、ナプキン１は、吸収体２とトップシート３とのうちの少なくとも一方が、その厚さ方向に窪んだ圧縮凹部７を有している。本実施形態では、トップシート３の肌側面からトップシート３及び吸収体２が厚さ方向に圧縮され、トップシート３及び吸収体２が接合一体化されている。圧縮凹部７によって、吸収体２の型崩れを防止でき、吸収体２の液拡散性を向上させることができる。
【００４０】
また、圧縮凹部７は、吸収体２の外周縁部において、多数の点状圧縮部８が間隔を空けて線状に並ぶことにより構成されており、全体として前後方向に長い略環状を成している。さらに、本実施形態の圧縮凹部７は動物の形状（図１では猫）を成している。つまり、本実施形態のナプキン１には、圧縮凹部７によって、ナプキン１の肌側から視認可能な「動物図柄３２」が形成されている。具体的には、ナプキン１の前方領域１Ａに猫の頭部３２１、中央領域１Ｂに猫の胴部、後方領域１Ｃに猫の脚部及び尻尾を表している。ナプキンの表面は一般に白いが、圧縮凹部７によれば、３次元的な陰影又は吸収性繊維の粗密で動物図柄３２を表現できる。よって、インク等を使用せずに又は使用量を減らして動物図柄３２を表現できる。ただし、圧縮凹部７はナプキン１の肌側から視認可能であればよく、例えば、吸収体２のみが圧縮されて動物図柄が形成されていてもよい。また、トップシート３のみにエンボス加工を施すことで動物図柄を設けてもよい。また、バックシート４側から圧縮されていてもよい。
【００４１】
また、後述するナプキン１の折り位置ＦＬ２（図５Ａ参照）において、吸収体２を幅方向に３等分し、左側領域、中央領域、右側領域に分けた場合の、いずれかの領域において、長手方向に延びた一対の圧縮部３２４，３２５が設けられているとよい。本実施形態では、ナプキン１の後方領域１Ｃであり、吸収体２の右側領域に、長手方向に延びた一対の圧縮部３２４，３２５が設けられている。この一対の圧縮部３２４，３２５によって、猫の尻尾が表されている。
【００４２】
このように、幅方向の狭い吸収体２の領域に、一対の圧縮部３２４，３２５が設けられていることで、吸収体２の剛性が高まり、吸収体２のよれや崩れを抑制できる。特に、着用者の臀部に当接するナプキン１の後方領域１Ｃは、臀部の動きによって吸収体２がよれやすいが、ナプキン１の使用後も、一対の圧縮部３２４，３２５による猫の尻尾部分の形状が維持されやすい。ナプキン１の使用後に、猫の尻尾部分の形状が維持されることで、猫全体の図柄も視認されやすくなる。ただし、ナプキン１は動物図柄を有していなくてもよい。
【００４３】
なお、圧縮凹部７では、周囲に比べて吸収体２の厚みが薄く、密度が高くなっている。これらの比較は周知の方法で行うとよい。吸収体２の厚みの比較としては、ミツトヨ（株）製のダイアルシックネスゲージＩＤ−Ｃ１０１２Ｃ又はそれと同等のものを使用し、対象部位を加圧して測定した値を取得して比較する方法や、目視で比較する方法を例示できる。吸収体２の密度の比較としては、ナプキン１から対象部位をサンプルとして切り出し、サンプルの質量及び面積を測定し、サンプルの質量を面積で除することで得られた単位面積当たりの質量（ｇ／ｍ2）を、上記の方法で取得した厚み（ｍ）で除することで得られた値（ｇ／ｍ3）を比較する方法を例示できる。
【００４４】
また、図１に示すナプキン１の構成は一例であり、これに限定されない。例えば、ウィング部を有さないナプキンでもよい。その場合、ナプキンの前端から、ナプキン１の前後方向における全長の１／３の長さまでの領域を前方領域とする。また、例えば、トップシートの短手方向の両側部から短手方向の外側に延出する一対のサイドシートを有し、サイドシート及びバックシートによってウィング部を構成するナプキン等であってもよい。
【００４５】
＜＜包装材１０について＞＞
図２は、包装材１０の外側面１０２を説明する平面図である。包装材１０は、長方形状であるシート状の部材であり、長手方向及び短手方向を有するとともに、内側面１０１、及び、内側面１０１の反対面である外側面１０２を有する。包装材１０の内側面１０１は、ナプキン１を包装する際に内側になる面である。包装材１０の外側面１０２は、ナプキン１を包装材１０で包装した吸収性物品包装体２０（後述の図３Ａ参照）の外部から視認される面である。
【００４６】
包装材１０の長手方向における一方側の端部には、包装材１０の開封端１０ａを止着するテープ１１が設けられている。テープ１１は、その一部が包装材１０の長手方向の外側に延出するように、包装材１０の外側面１０２に接着剤等で固定されている。
【００４７】
また、包装材１０は、内側面１０１側から視認可能である複数の動物図柄３０と、外側面１０２側から視認可能である複数の動物図柄３１とを有する。本実施形態では、内側面１０１に印刷された動物図柄３０が外側面１０２側に透けて視認されるものとする。よって、外側面１０２側から視認される動物図柄３１は、内側面１０１側から視認される動物図柄３０が反転した図柄となっている。
【００４８】
本実施形態の動物図柄３０，３１は、猫であり、猫の頭部（図２の３１１）と胴体（３１２）と尻尾（３１３）と猫の首に付けられたリボン（３１４）を有する。よって、動物図柄３０，３１は互いに直交する上下方向及び幅方向を有する。上下方向において、猫の頭部（３１１）側が上側であり、猫の尻尾（３１３）側が下側である。
【００４９】
また、動物図柄３０，３１は、その上下方向が包装材１０の短手方向に揃い、その幅方向が包装材１０の長手方向に揃うように配置されている。また、全ての動物図柄３０，３１が同じ向きに配置されている。
【００５０】
また、複数の動物図柄３０，３１は包装材１０の長手方向及び短手方向に間隔を空けて並んで配置されるとともに、包装材１０の短手方向に隣り合う動物図柄３０，３１は、包装材１０の長手方向にずれて配置されている。つまり、複数の動物図柄３０，３１は千鳥状に配置されている。
【００５１】
包装材１０の地色は白色であっても有色であってもよい。本実施形態では、ピンク色の印刷を白色のシートに施して包装材１０とした。また、動物図柄３０，３１における猫の部位（３１１〜３１３）を黒色とし、猫のシルエットを表すものとする。また、猫に付けられたリボン（３１４）は包装材１０のピンク色よりも濃いピンク色とする。
【００５２】
また、図示しないが、包装材１０は、動物図柄３０，３１とは別の図柄や、商品名やサイズ等を示す文字を有していてもよい。また、包装材１０の地色は１色で構成されるに限らず、例えば淡いピンク色と濃いピンク色の縞模様で構成されていてもよい。
【００５３】
なお、包装材１０の外側面１０２に動物図柄が印刷されていてもよいし、包装材１０は、その内側面１０１側から視認可能な動物図柄３０を有していなくてもよい。また、各面１０１，１０２に個別に動物図柄３０，３１が印刷されてもよい。また、包装材１０が有する動物図柄３０，３１は印刷によって形成するに限らず、例えば、エンボスパターンによって形成してもよい。
【００５４】
＜＜吸収性物品包装体（個包装体）２０について＞＞
図３Ａは、吸収性物品包装体２０の平面図であり、図３Ｂは、吸収性物品包装体２０の折り部２１の説明図である。図４は、吸収性物品包装体２０を開封して展開し、ナプキン１の肌側から見た状態の図である。図５Ａ及び図５Ｂは、吸収性物品包装体２０の折り畳み方法の説明図である。
【００５５】
吸収性物品包装体２０は、包装材１０がナプキン１を個別に内包しつつ折り畳まれたものである（以下「個包装体」ともいう）。個包装体２０は、図３Ａ及び図３Ｂに示すように、互いに直交する横方向、縦方向、及び、厚み方向を有する。
【００５６】
個包装体２０を開封して展開した状態（図４）では、包装材１０の内側面１０１上に、ナプキン１がその肌側面を上にして配置されている。また、包装材１０の長手方向がナプキン１の前後方向に沿い、かつ、包装材１０の短手方向がナプキン１の短手方向に沿っている。
【００５７】
本実施形態の個包装体２０では、包装材１０が、ナプキン１と共にナプキン１の肌側面を内側にし、短手方向に沿う２つの折り位置ＦＬ１，ＦＬ２にて折り畳まれているものとする。折り位置ＦＬ１に沿う方向（所定方向）、すなわち包装材１０の短手方向が個包装体２０の横方向に対応し、包装材１０の長手方向が個包装体２０の縦方向に対応している。
【００５８】
ナプキン１は厚みを有するため、個包装体２０は包装材１０の折り位置ＦＬ１，ＦＬ２にて厚み（Ｗ４）を有する。厚み（Ｗ４）を有する個包装体２０の面であり、個包装体２０をその縦方向に見た場合に見える側面を「折り部２１」という。個包装体２０の縦方向の一方側に位置する折り部２１を「第１折り部２１１」といい、その反対側に位置する折り部２１を「第２折り部２１２」という。詳しくは、ナプキン１の前後方向における前側の折り位置ＦＬ１（図５Ｂ）での折り部２１が「第1折り部２１１」であり、後側の折り位置ＦＬ２（図５Ａ）での折り部２１が「第２折り部２１２」である。
【００５９】
なお、折り位置の数は２つに限らず、１つでも３つ以上であってもよい。また、個包装体２０は、包装材１０の短手方向に沿う折り位置だけでなく、包装材１０の長手方向に沿う折り位置にて折り畳まれていてもよい。また、単体で折り畳まれたナプキン１を、包装材１０が内包しつつ、包装材１０の短手方向に沿う折り位置で折り畳まれていてもよい。
【００６０】
個包装体２０では、図３Ａ及び図３Ｂに示すように、包装材１０の幅方向の両側端部１３が接合されている。接合方法は、例えば、ヒートシール、超音波シール、接着剤、これらの組み合わせ等、周知の接合方法を例示できる。また、テープ１１が包装材１０の外側面１０２に固定され、包装材１０の開封端１０ａはテープ１１によって止着されている。
【００６１】
テープ１１が把持されて、ナプキン１の前側の折り位置ＦＬ１での折りが展開されると、図５Ｂの状態になる。この時、ナプキン１のウィング部５は幅方向の内側に折り返されており、ウィング部５の上面の粘着部５Ａ（図５Ａ参照）は剥離シート１２で覆われている。ちなみに、ウィング部５は、ナプキン１の着用時において、着用者の下着の非肌側面側に折り返され、粘着部５Ａによって下着の非肌側面に固定される。さらに、ナプキン１の後側の折り位置ＦＬ２での折りが展開されると、図５Ａの状態となる。
【００６２】
＜個包装体２０（吸収性物品包装体）の動物図柄３１＞
図６は、家庭での個包装体２０の保管方法の一例を示す図であり、個包装体２０を保管するカゴ５０を鉛直方向の上側から見た図である。個包装体２０は、後述するパッケージ４０（図９参照）に複数個ずつ内包された状態で流通する。パッケージ４０を購入したユーザーは、パッケージ４０から個包装体２０を取り出した状態で保管することが多い。また、ナプキンは、昼用、夜用等の用途に応じて使い分けられたり、母と娘で使用する製品が異なっていたりと、図６に示すように複数種類のナプキンの個包装体２０，５１，５２が混在した状態で保管される。
【００６３】
ただし、個包装体２０，５１，５２が平らに置かれた状態で上に積み重ねられてしまう
と（平積みされてしまうと）、下の方から所望の製品を取り出しにくくなるという問題があった。また、下の方の製品が長期間使用されず、上に重ねられた製品の重みによりナプキンの厚みが低下し、着け心地や吸収性能が低下するおそれがあった。
【００６４】
これに対して、本実施形態の個包装体２０は、個包装体２０の外部から視認可能であって、上下方向を備える動物図柄３１を有する。本実施形態では、包装材１０に、その外側面１０２側から視認可能な動物図柄３１が設けられており、動物図柄３１の上下方向は包装材１０の短手方向に揃っている。
【００６５】
そして、包装材１０が、ナプキン１を内包しつつ、包装材１０の短手方向（所定方向）に沿う折り部２１にて折り畳まれた個包装体２０の状態（図３Ｂ）において、折り部２１に包装材１０の動物図柄３１の少なくとも一部が位置し、かつ、折り部２１の延びる方向に動物図柄３１の上下方向が揃っている。
【００６６】
そのため、本実施形態の個包装体２０を平らに配置してしまうと、折り部２１の動物図柄３１が横に倒れて寝てしまう。よって、ユーザーは、無意識のうちに、折り部２１の動物図柄３１の上下方向が鉛直方向に揃うように個包装体２０を配置したり、図６に示すように、折り部２１の動物図柄３１が鉛直方向の上側に向くように個包装体２０を配置したりしやすくなる。つまり、個包装体２０が立てて保管されるようにユーザーを誘導できる。換言すると、複数の個包装体２０がその厚み方向に並んだ個包装体２０の束が、鉛直方向ではなく、水平方向に延びるように保管される。そのため、個包装体２０が平積みされたときの問題（個包装体２０の取り出しにくさや個包装体２０の厚みの低下）が生じない。
【００６７】
さらに、ユーザーは、潜在的に個包装体２０の配置の向きの基準としていた動物図柄３１が視認されるように、個包装体２０を配置して保管しやすい。そのため、図６に示すように、複数種類の個包装体２０，５１，５２の中から、動物図柄３１を有する本実施形態の個包装体２０を選択でき、容易に取り出せる。
【００６８】
動物図柄３１の代わりに、「矢印」や「上」といった文字等を個包装体２０の折り部２１に設けた場合にも、ユーザーが個包装体２０を立てて保管するように誘導できる。しかし、上記のような、方向を示す直接的な表現である場合、個包装体２０の方向を確認して配置しなければならにというプレッシャーをユーザーに与えてしまう。これに対して、本実施形態では、個包装体２０の動物図柄３１の上下方向に基づいて、個包装体２０の配置の向きをユーザーに示唆するだけであり、ユーザーにプレッシャーを与えてしまうことを抑制できる。
【００６９】
なお、個包装体２０の折り部２１の動物図柄３１は、それらを見たユーザーが動物の上下方向を分かる図柄であればよい。例えば、猫に限らず、クマやウサギ等の別の動物であってもよい。また、動物のシルエットに限らず、表情（目口鼻等）が描かれた図柄であってもよい。また、頭と胴体を有するに限らず、頭だけの図柄（例えば後述の図１１Ａ参照）であってもよい。
【００７０】
次に、包装材１０の動物図柄３１の大きさについて説明する。本実施形態では、包装材１０が有する全ての動物図柄３１の大きさは同じとする。ただし、包装材１０が有する動物図柄３１の大きさが異なる場合には、折り部２１に位置する動物図柄３１の大きさが以下の大きさであると好ましい。
【００７１】
まず、折り畳まれた状態における個包装体２０の厚みＷ２（図３Ｂ参照）は、個包装体２０を開封して展開した状態における動物図柄３１の幅方向の長さＷ１（図２参照）の１／２以上であることが好ましい（Ｗ３≧Ｗ１／２）。より好ましくは、折り畳まれた状態における個包装体２０の厚みＷ３は、個包装体２０を開封して展開した状態における動物図柄３１の幅方向の長さＷ１以上であることが好ましい（Ｗ３≧Ｗ１）。
【００７２】
そうすることで、個包装体２０の折り部２１に、幅方向に欠けていない動物図柄３１や幅方向に欠けた部位の小さい動物図柄３１が配置される。よって、折り部２１の動物図柄３１及びその上下方向が、ユーザーに認識されやすく、折り部２１の動物図柄３１に基づき、ユーザーが個包装体２０を立てて保管するように誘導できる。
【００７３】
折り畳まれている状態における個包装体２０の厚みＷ２の測定は周知の方法で行うとよい。例えば、ミツトヨ（株）製のダイアルシックネスゲージＩＤ−Ｃ１０１２Ｃ又はそれと同等のものを使用し、接触子の面積を２０ｃｍ2、接触圧を３ｇｆ／ｃｍ2（２９４Ｎ／ｍ2）に設定して測定することができる。
【００７４】
また、図２に示すように、個包装体２０は、開封して展開した状態において、動物図柄３１が配置されている配置領域Ａ１と、動物図柄３１が配置されていない非配置領域Ａ２とを、動物図柄３１の幅方向に交互に有している。そこで、折り畳まれた状態における個包装体２０の厚みＷ２は、個包装体２０を開封して展開した状態における非配置領域Ａ２の幅Ｗ４よりも大きいことが好ましい（Ｗ２＞Ｗ４）。
【００７５】
そうすることで、個包装体２０の折り部２１に、動物図柄３１の配置領域Ａ１の少なくとも一部が位置する。よって、折り部２１の動物図柄３１及びその上下方向が、ユーザーに認識されやすく、折り部２１の動物図柄３１に基づき、ユーザーが個包装体２０を立てて保管するように誘導できる。
【００７６】
なお、本実施形態では、配置領域Ａ１と非配置領域Ａ２の幅は全て一定であるとする。ただし、一定でない場合には、個包装体２０の厚みＷ２は、最小の非配置領域Ａ２の幅Ｗ４よりも大きければよく、より好ましくは最大の非配置領域Ａ２の幅Ｗ４よりも大きいとよい。
【００７７】
＜＜個包装体２０のパッケージ４０について＞＞
図７は、個包装体２０のパッケージ４０の概略斜視図である。図８Ａ及び図８Ｂは、パッケージ４０内での個包装体２０の状態を説明する図である。図８Ａはパッケージ４０の正面４０Ａ側から見た図であり、図８Ｂはパッケージ４０の裏面４０Ｄ側から見た図である。図９は、パッケージ４０の正面４０Ａを示す図である。
【００７８】
個包装体２０は、複数個ずつパッケージ４０（袋体）に内包された状態で流通する。本実施形態のパッケージ４０は、略直方体形状であり、正面４０Ａと、正面４０Ａに対向する裏面４０Ｄと、互いに対向する一対の側面４０Ｂと、互いに対向する上面４０Ｃ及び下面を有する。また、パッケージ４０は、互いに直交する横方向と上下方向と奥行方向を有する。パッケージ４０が有する面のうち、最も大きい商品名４２（図９参照）が設けられた面を正面４０Ａとする。そして、正面４０Ａに設けられた商品名４２の上下方向をパッケージ４０の上下方向とする。なお、パッケージ４０の形状は、図７に示すものに限定されず、例えば、筒状の包装材の上下を封じた袋形状のものであってもよい。
【００７９】
パッケージ４０では、複数の個包装体２０がその厚み方向に並んだ状態で内包されている。個包装体２０が並んだ方向（厚み方向）がパッケージ４０の横方向に揃い、個包装体２０の横方向（折り部２１が延びる方向）がパッケージ４０の上下方向に揃い、個包装体２０の縦方向がパッケージ４０の奥行方向に揃っている。よって、個包装体２０の平面（例えば図３Ａに示す面）がパッケージ４０の側面４０Ｂに対向している。また、個包装体２０の第１折り部２１１がパッケージ４０の正面４０Ａに対向し、個包装体２０の第２折り部２１２がパッケージ４０の裏面４０Ｄに対向している。
【００８０】
本実施形態の個包装体２０（図３Ｂ）では、折り部２１に、個包装体２０の外部から視認可能な動物図柄３１の少なくとも一部が位置し、折り部２１の延びる方向に動物図柄３１の上下方向が揃っている。そのため、上記のように、個包装体２０の折り部２１が延びる方向がパッケージ４０の上下方向に揃っている場合、個包装体２０の折り部２１に位置する動物図柄３１の上下方向が、パッケージ４０の上下方向に揃うことになる。すなわち折り部２１の動物図柄３１の上下方向がパッケージ４０の上下方向に沿って略平行であり、動物図柄３１の上側がパッケージ４０の上側と一致している。
【００８１】
さらに、本実施形態のパッケージ４０は、その正面４０Ａに、透明性を備えた窓部４１を有する。また、パッケージ４０内において、個包装体２０は、第１折り部２１１がパッケージ４０の正面４０Ａの窓部４１に向くように配置されている。したがって、図９に示すように、パッケージ４０の窓部４１から、個包装体２０の第１折り部２１１の少なくとも一部、及び、第１折り部２１１に位置する動物図柄３１の少なくとも一部が視認可能となっている。そして、窓部４１から視認される第１折り部２１１の動物図柄３１の上下方向が、パッケージ４０の上下方向に揃っている。
【００８２】
この場合、パッケージ４０を見たユーザーは、個包装体２０の折り部２１の動物図柄３１が横に倒れて寝ている状態ではなく、パッケージ４０の上下方向に沿って立っている状態を視認することになる。そのため、パッケージ４０を見たユーザーの潜在意識には、個包装体２０及びその動物図柄３１が立っている状態が刷り込まれる。よって、ユーザーは、パッケージ４０から個包装体２０を取り出して保管する際に、無意識のうちに、パッケージ４０内での個包装体２０の状態（図７Ａ）と同じに、個包装体２０を立てて配置しやすくなる。
【００８３】
次に、窓部４１の大きさについて説明する。本実施形態では、包装材１０が有する全ての動物図柄３１の大きさを同じとするが、包装材１０が有する動物図柄３１の大きさが異なる場合には、折り部２１に位置する動物図柄３１に対して窓部４１の大きさが以下であることが好ましい。
【００８４】
まず、図９に示すように、パッケージ４０の上下方向における窓部４１の最大長さＬ２は、個包装体２０を開封して展開した状態における個包装体２０の動物図柄３１の上下方向の長さＬ１以上（図２参照）であることが好ましい（Ｌ２≧Ｌ１）。
【００８５】
そうすることで、上下方向に欠けていない個包装体２０の動物図柄３１や上下方向に欠けた部位の小さい動物図柄３１が、パッケージ４０の窓部４１から視認される。そのため、パッケージ４０を見たユーザーの潜在意識には、個包装体２０の動物図柄３１が立っている状態が刷り込まれる。よって、ユーザーは、個包装体２０の保管時に、パッケージ４０内での個包装体２０の状態と同じに、個包装体２０を立てて配置しやすくなる。
【００８６】
また、個包装体２０を開封して展開した状態において、動物図柄３１は、図２に示すように、動物図柄３１の上下方向に間隔を空けて配置され、かつ、動物図柄３１の幅方向が一致（重複）して配置された動物図柄３１の列が、動物図柄３０の幅方向に並んでいる。動物図柄３１の列における、ある動物図柄（第１動物図柄）３１ａの上端から、その下の動物図柄（第２動物図柄）３１ｂの上端までの上下方向の長さをＬ３とする。この長さＬ３は、個包装体２０の折り部２１に配置される、ある動物図柄３１の上端から、その下の動物図柄３１の上端までの上下方向の長さである。そこで、パッケージ４０の上下方向における窓部４１の最大長さＬ２は、この長さＬ３以上であることが好ましい（Ｌ２≧Ｌ３）。
【００８７】
そうすることで、窓部４１に対向する個包装体２０の折り部２１の部位に、動物図柄３１の少なくとも一部が配置され、また、複数の動物図柄３１が上下方向に並んで配置されやすくなる。そのため、パッケージ４０の窓部４１から個包装体２０の動物図柄３１が視認され、パッケージ４０を見たユーザーの潜在意識には、個包装体２０の動物図柄３１が立っている状態が刷り込まれる。よって、ユーザーは、個包装体２０の保管時に、パッケージ４０内での個包装体２０の状態と同じに、個包装体２０を立てて配置しやすくなる。
【００８８】
また、図９に示すように、パッケージ４０の窓部４１からは、複数の個包装体２０がその厚み方向に並んでいる状態が視認される。そして、パッケージ４０内において、個包装体２０の厚み方向に隣り合う個包装体２０それぞれの折り部２１に位置する動物図柄３１（３１ｃ，３１ｄ）の少なくとも一部は、動物図柄３１の上下方向にずれて配置されていることが好ましい。
【００８９】
仮に、隣り合う個包装体２０それぞれの動物図柄３１の上下方向の位置が完全に一致してしまうと、動物図柄３１の輪郭が分かりにくく、動物図柄３１がユーザーに認識されにくくなってしまう。そこで、上記のように動物図柄３１をずらすことで、パッケージ４０を見たユーザーに、個包装体２０の動物図柄３１が認識されやすくなり、パッケージ４０を見たユーザーの潜在意識には、個包装体２０の動物図柄３１が立っている状態が刷り込まれる。よって、ユーザーは、個包装体２０の保管時に、パッケージ４０内での個包装体２０の状態と同じに、個包装体２０を立てて配置しやすくなる。
【００９０】
また、前述のように、個包装体２０は、開封して展開した状態（図２）において、動物図柄３１が配置されている配置領域Ａ１と、動物図柄３１が配置されていない非配置領域Ａ２とを有している。そして、個包装体２０の第１折り部２１１（図８Ａ）では、配置領域Ａ１の方が非配置領域Ａ２よりも大きく、個包装体２０の第２折り部２１２（図８Ｂ）では、非配置領域Ａ２の方が配置領域Ａ１よりも大きくなっている。つまり、個包装体２１の第１折り部２１１の方が第２折り部２１２に比べて、動物図柄３１が視認されやすくなっている。
【００９１】
この場合、パッケージ４０内において、複数の個包装体２０が、その厚み方向に並ぶとともに、図８Ａに示すように、複数の個包装体２０それぞれの第１折り部２１１が同じ側に位置し、図８Ｂに示すように、複数の個包装体２０それぞれの第２折り部２１２が同じ側に位置していることが好ましい。
【００９２】
そうすることで、ユーザーは、パッケージ４０の開封時や、パッケージ４０から複数の個包装体２０をまとめて取り出した際に、動物図柄３１が個包装体２０に配置されている面（図８Ａ）と、動物図柄３１が個包装体２０に殆ど配置されていない面（図８Ｂ）とを見ることになる。この場合、ユーザーは、無意識のうちに、動物図柄３１を基準にして個包装体２０の配置の向きを決めやすくなり、個包装体２０を立てて保管しやすくなる。また、ユーザーは、動物図柄３１が配置されている面（図８Ａ）が視認されるように複数の個包装体２０を配置して保管しやすくなる。そのため、複数種類の個包装体の中から、動物図柄３１を有する本実施形態の個包装体２０を選択でき、容易に取り出せる。
【００９３】
また、上記のように、複数の個包装体２０それぞれの第１折り部２１１が同じ側に位置するように保管されやすい場合、図３Ａに示すように、個包装体２０の開封端１０ａを止着するテープ１１は、個包装体２０の縦方向において、第１折り部２１１よりも第２折り部２１２の近くに配置されていることが好ましい。
【００９４】
そうすることで、ユーザーが保管場所から個包装体２０を取り出した際に、個包装体２０におけるテープ１１の位置がいつも同じになる。具体的には、ユーザーが一方の手で保管場所から個包装体２０の第１折り部２１１を把持して取り出すと、把持した部分とは反対側の第２折り部２１２に近い位置に、テープ１１が位置する。この場合、ユーザーは、他方の手でテープ１１を把持して開封できる。このように、個包装体２０を保管場所から取り出して、テープ１１を開封する動作を一定にでき、スムーズに個包装体２０を開封できる。
【００９５】
なお、配置領域Ａ１と非配置領域Ａ２の大きさの比較は、例えば、目視で比較したり、個包装体２０の厚み方向における配置領域Ａ１の長さ及び非配置領域Ａ２の長さを、定規等を用いて測定して比較したりできる。また、図示しないが、パッケージ４０の表面４０Ａだけでなく裏面４０Ｄにも個包装体２０を視認可能な窓部４１を設けてもよい。そうすることで、ユーザーは、パッケージ４０の外観から図８Ａに示す面と図８Ｂに示す面を視認できる。
【００９６】
また、図９に示すように、パッケージ４０は、その正面４０Ａに、パッケージ４０の外部から視認可能な動物図柄３５を有する。例えばパッケージ４０の外表面に動物図柄３５が印刷されている。この動物図柄３５は、個包装体２０が有する動物図柄３５と同じ種類の動物であり、同一系統の色を備える。すなわち、パッケージ４０の動物図柄３５も、猫であり、猫の色が黒である。さらに、パッケージ４０の動物図柄３５は、個包装体２０の動物図柄３１と同様に、ピンク色のリボン３５１も有している。
【００９７】
このパッケージ４０の動物図柄３５の上下方向が、パッケージ４０の上下方向に揃っていることが好ましい。すなわち動物図柄３５の上下方向がパッケージ４０の上下方向に沿って略平行であり、動物図柄３５の上側がパッケージ４０の上側と一致していることが好ましい。
【００９８】
パッケージ４０の動物図柄３５の上下方向とパッケージ４０の上下方向とが揃っている状態を見たユーザーの潜在意識には、動物図柄３５及びその上下方向が刷り込まれる。そのため、パッケージ４０から個包装体２０を取り出して保管する際に、パッケージ４０の動物図柄３５に類似した個包装体２０の動物図柄３１を見たユーザーは、個包装体２０の動物図柄３１の上下方向を潜在的に認知する。よって、ユーザーは、無意識のうちに、個包装体２０の動物図柄３１の上下方向を基準に個包装体２０を配置しやすく、個包装体２０を立てて配置しやすくなる。
【００９９】
なお、パッケージ４０の動物図柄３５が個包装体２０の動物図柄３１と同じ種類の動物であるとは、それら動物図柄３５，３１が、例えば、猫の図柄であればよく、同一形状又は相似形状であるものに限定されず、異なる形状であってもよい。また、同一系統の色を備えるとは、個包装体２０の動物図柄３１が備える色（例えば黒）との色差が１２未満である色を、パッケージ４０の動物図柄３５も備えるものとする。
【０１００】
また、パッケージ４０の外部から、パッケージ４０の外表面の動物図柄３５と、窓部４１を介した個包装体２０の動物図柄３１の両方を視認可能とすることが好ましいが、何れか一方のみを視認可能としてもよい。つまり、パッケージ４０の外表面の動物図柄３５は有するが窓部４１を有さない形態でもよいし、窓部４１は有するがパッケージ４０の外表面の動物図柄３５を有さない形態でもよい。
【０１０１】
また、パッケージ４０の外表面の動物図柄３５と、個包装体２０の動物図柄３１を視認可能にする窓部４１とが、パッケージ４０の異なる面に設けられていてもよいが、同じ面、特にパッケージ４０の正面４０Ａに設けられているとよい。そうすることで、パッケージ４０の動物図柄３５及び個包装体２０の動物図柄３１が、ユーザーに着目されやすく、ユーザーの潜在意識により刷り込まれる。
【０１０２】
また、本実施形態では、個包装体２０の外部から視認可能な動物図柄３１、及び、パッケージ４０の動物図柄３５が、黒色（猫の部位）とピンク色（リボンの部位）で構成される。このように動物図柄３１，３５が、黒色、及び、黒色と異なる色の有色を有することが好ましい。また、動物図柄３１，３５が反対色を有していてもよい。例えば、動物図柄が、緑系統の色と、その反対色となる赤系統の色で構成されているとよい。そうすることで、パッケージ４０の動物図柄３５、及び、個包装体２０の動物図柄３１が目立ち、動物図柄３５，３１がユーザーに認識されやすくなる。
【０１０３】
なお、有色とは、無色透明及び白色以外の色とする。白色とは、例えば、マンセル表色系で「Ｎ９．５」と表される色や、ＲＧＢ色空間で「２５５，２５５，２５５」と表される色（所謂真っ白）に加え、真っ白との色差が１２未満である色も白色に含まれるものとする。
また、黒色と異なる色とは、例えば、黒色との色差が１３以上の色とする。その他、色見本（例えば、日本工業規格ＪＩＳ  Ｚ８１０２：２００１の付表１）で示される色名が黒色ではない色であってもよい。
また、反対色とは、例えば、オストワルト色相環において、正反対の位置にある色同士（補色）や、ある色及びある色の正反対の位置の隣に位置する色同士とする。
【０１０４】
＜＜変形例について＞＞
図１０Ａ及び図１０Ｂは、パッケージ４０の変形例の説明図である。パッケージ４０が、個包装体２０の動物図柄３１と同じ種類の動物図柄３５を有さず、かつ、窓部４１を有していなくてもよい。その場合も、個包装体２０がパッケージ４０に内包されている状態において、個包装体２０の動物図柄３１が、パッケージ４０の上下方向に揃っていることが好ましい。
【０１０５】
例えば、パッケージ４０から個包装体２０を取り出すための切り取り線４３ａがパッケージ４０の上面４０Ｃ（図７参照）に設けられているとする。その場合、図１０Ａに示すように、パッケージ４０から個包装体２０を上に取り出したときに、ユーザーは、個包装体２０の動物図柄３１の上下方向がパッケージ４０の上下方向に揃っている状態を視認できる。
【０１０６】
また、例えば、切り取り線４３ｂがパッケージ４０の側面４０Ｂに設けられているとする。その場合、図１０Ｂに示すように、パッケージ４０を開封した時に、ユーザーは、個包装体２０の動物図柄３１の上下方向がパッケージ４０の上下方向に揃っている状態を視認できる。
【０１０７】
これらの状態を見たユーザーの潜在意識には、個包装体２０の動物図柄３１及びその上下方向が刷り込まれる。そのため、パッケージ４０から個包装体２０を取り出して保管する際に、ユーザーは、無意識のうちに、個包装体２０の動物図柄３１の上下方向を基準に個包装体２０を配置しやすく、個包装体２０を立てて配置しやすくなる。ただし、パッケージ４０において、個包装体２０の動物図柄３１の上下方向とパッケージ４０の上下方向とが揃っていなくてもよい。
【０１０８】
図１１Ａ及び図１１Ｂは、個包装体２０の変形例の説明図である。個包装体２０の外部から視認可能な動物図柄３１は、包装材１０に設けられるに限らない。例えば、図１１Ａに示すように、ずれ止め用の粘着部９が塗布されているナプキン１のバックシート４に、動物図柄３１が設けられていてもよい。また、例えば、図１１Ｂに示すように、ナプキン１のずれ止め用の粘着部９を覆う剥離シート１３に、動物図柄３１が設けられていてもよい。
【０１０９】
図１２は、包装材１０の動物図柄３１の変形例の説明図である。図２に示す包装材１０は、動物図柄３１が配置されていない非配置領域Ａ２を有しているが、これに限らない。例えば、図１２に示すように、個包装体２０（包装材１０）を開封して展開した状態において、複数の動物図柄３１は、動物図柄３１の幅方向及び上下方向に並んで配置されており、かつ、上下方向に隣り合う動物図柄３１ｅ，３１ｆは、幅方向にずれて配置されるとともに、幅方向に重なり部分Ａ３を有するようにしてもよい。
【０１１０】
この場合、包装材１０は、動物図柄３２の幅方向（図１２では包装材１０の長手方向）の全域にわたり、動物図柄３２が配置され、非配置領域を有さない。そのため、パッケージ４０の窓部４１に対向する個包装体２０の折り部２１に、動物図柄３１の少なくとも一部が配置され、窓部４１から個包装体２０の動物図柄３１が視認される。よって、パッケージ４０を見たユーザーの潜在意識には、個包装体２０の動物図柄３１が立っている状態が刷り込まれ、ユーザーは、個包装体２０の保管時に、パッケージ４０内での個包装体２０の状態と同じに、個包装体２０を立てて配置しやすくなる。
【０１１１】
以上、上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【０１１２】
１  （生理用）ナプキン（吸収性物品）、
２  吸収体、３  トップシート、４  バックシート、５  ウィング部、
７  圧縮凹部（凹部）、８  点状圧縮部、９  粘着部
１０  包装材、１１  テープ、１２  剥離シート、
１３  剥離シート、１４  粘着剤、
２０  個包装体（吸収性物品包装体）、２１  折り部、
２１１  第１折り部、２１２  第２折り部、
３０〜３５  動物図柄、
４０  パッケージ、４１  窓部、４２  商品名、
Ａ１  配置領域、Ａ２  非配置領域、Ａ３  重なり部分
【図１】
2018104101.tif 000003
【図２】
2018104101.tif 000004
【図３】
2018104101.tif 000005
【図４】
2018104101.tif 000006
【図５】
2018104101.tif 000007
【図６】
2018104101.tif 000008
【図７】
2018104101.tif 000009
【図８】
2018104101.tif 000010
【図９】
2018104101.tif 000011
【図１０】
2018104101.tif 000012
【図１１】
2018104101.tif 000013
【図１２】
2018104101.tif 000014